(57)【要約】【課題】使用時には、カバーを外す手間なく片手で容易に操作可能であり、使用後は、衣服等を破損することなく携帯できるグリーンフォークの提供。【解決手段】本考案に係るグリーンフォークは、フォークと、弾性変形可能なカバーとを備えている。カバーは、フォークを挟んで配置された第一シート及び第二シートと、この第一シートと第二シートとを接合する接合部材から形成されている。この接合部材の長さは、カバーの長さの１／２以下である。第一シートの厚みと第二シートの厚みは、それぞれ０．５ｍｍ以上３．０ｍｍ以下である。第一シートと第二シートとの間隔は、フォークの厚みの１．１倍以下１．５倍以上である。このグリーンフォークでは、あらかじめカバーを外さなくても、地面に押しつけられることによってカバーが屈曲してフォークが露出する。使用後、フォークは自動的にカバーに収納される。【選択図】図１
0003179291.tif 000002
【実用新案登録請求の範囲】
【請求項１】
フォークと、弾性変形可能なカバーとを備えており、
上記カバーが、上記フォークを挟んで配置された第一シート及び第二シートと、上記第一シートと第二シートとを接合する接合部材から形成されているグリーンフォーク。
【請求項２】
上記接合部材の長さＬが、カバーの長さＬｃの１／２以下である請求項１に記載のグリーンフォーク。
【請求項３】
上記第一シートの厚みＴ１が、０．５ｍｍ以上３．０ｍｍ以下である請求項１又は２に記載のグリーンフォーク。
【請求項４】
上記第二シートの厚みＴ２が、０．５ｍｍ以上３．０ｍｍ以下である請求項１から３に記載のグリーンフォーク。
【請求項５】
上記第一シートと第二シートとの間隔Ｈが、上記フォークの厚みＤの１．１倍以上１．５倍以下である請求項１から４のいずれかに記載のグリーンフォーク。
【請求項６】
上記カバーが、シリコーン樹脂又は軟質樹脂から形成されている請求項１から５のいずれかに記載のグリーンフォーク。
【請求項７】
上記カバーと、フォークとが、固定具により連結されている請求項１から６のいずれかに記載のグリーンフォーク。
【請求項８】
あらかじめカバーを外すことなく、地面に押しつけられることによりカバーが屈曲してフォークが露出され、地面から抜き取られるとフォークが自動的に収納される請求項１から７のいずれかに記載のグリーンフォーク。
【考案の詳細な説明】
【技術分野】
【０００１】
本考案は、グリーンフォークに関する。詳細には、本考案は、カバーとフォークとを備えたグリーンフォークに関する。
【背景技術】
【０００２】
ゴルフ場において、グリーン上には、ゴルフボールの落下によって窪み（ボール痕）が生じる。このボール痕を修復するために、グリーンフォークが使用される。ゴルファーは、グリーンフォークをポケットやバッグ等に入れて携帯する。一般的には、グリーンフォークの材質は、金属である。グリーンフォークは、鋭い先端を備えている。グリーンフォークとの接触により、衣類やバッグ等が破損する場合がある。グリーンフォークが生地を通して人体に刺さるおそれもある。
【０００３】
典型的なグリーンフォークは、一端に手指等で保持するためのグリップを備えている。他端には１本又は複数の爪が形成されている。ゴルファーは、ボール痕の修復時、グリーンフォークのグリップを持って、爪をボール痕付近の地面に差し込み、周囲の芝をボール痕に向けてかき寄せる。使用後、地面から抜き取られたグリーンフォークは、そのままポケット等に収納される。ゴルフのプレー中、ボール痕の修復作業は、複数回行われる。ゴルファーは、プレー中、常にグリーンフォークを携帯する必要がある。ボール痕の修復作業により、グリーンフォークには、土や草等が付着する。付着した土等は、ポケットやバッグの内部を汚す原因となる。
【０００４】
このような問題を解消するために、実用新案登録第３１４２５５９号公報に、カバー付きのグリーンフォークが開示されている。このカバーは、着脱可能である。着脱可能なカバーを備えたグリーンフォークでは、一方の手でカバーを保持して、他方の手でグリーンフォークを取り出す、又は差し込むという作業が必要である。プレー中、手にクラブ等を持っていることの多いゴルファーにとって、この作業は手間である。
【０００５】
実用新案登録第３１６３８４５号公報には、巻き取りリールによりグリーンフォークがカバーに収納されるグリーンフォークホルダーが開示されている。また、バネによって爪がカバーから出し入れされるグリーンフォークが公開されている。このような機械式の収納装置を備えたグリーンフォークのサイズは、大きい。大きなサイズのグリーンフォークは、ポケット等に収納したときに嵩張る。このグリーンフォークは、ポケット内の他の収納品の取り出しを邪魔する。
【先行技術文献】
【特許文献】
【０００６】
【特許文献１】実用新案登録第３１４２５５９号公報
【特許文献２】実用新案登録第３１６３８４５号公報
【考案の概要】
【考案が解決しようとする課題】
【０００７】
本考案の目的は、携帯時には、爪との接触により衣類等を破損するおそれがなく、使用時には、カバーを着脱する手間がかからず、使用後には、付着した土による衣類等の汚れを防止することができる、コンパクトな形状のグリーンフォークを提供することにある。
【課題を解決するための手段】
【０００８】
本考案に係るグリーンフォークは、フォークと、弾性変形可能なカバーとを備えている。このカバーは、フォークを挟んで配置された第一シート及び第二シートと、第一シートと第二シートとを接合する接合部材から形成される。
【０００９】
好ましくは、この接合部材の長さＬは、カバーの長さＬｃの１／２以下である。好ましくは、第一シートの厚みＴ１は０．５ｍｍ以上３．０ｍｍ以下である。好ましくは第二シートの厚みＴ２は０．５ｍｍ以上３．０ｍｍ以下である。好ましくは、第一シートと第二シートとの間隔Ｈは、フォークの厚みＤの１．１倍以上１．５倍以下である。
【００１０】
好ましくは、カバーは、シリコーン樹脂又は軟質樹脂から形成される。好ましくは、カバーと、フォークとは、固定具により連結されている。
【００１１】
このグリーンフォークでは、あらかじめカバーを外すことなく、地面に押しつけられることによりカバーが屈曲してフォークが露出され、地面から抜き取られるとフォークが自動的に収納される。
【考案の効果】
【００１２】
本考案に係るグリーンフォークでは、フォーク全体が弾性変形可能なカバーで被覆されている。このカバーを備えたグリーンフォークの形状は、コンパクトである。このグリーンフォークを携帯する場合、フォークの爪との接触による衣類等の破損や、爪に付着した土によるポケット内部の汚損が軽減される。このカバーは、グリーンフォークが地面に押しつけられることにより、容易に屈曲する。カバーの屈曲によって、フォークの爪が露出する。このカバーは、グリーンフォークが地面から抜き取られると、自動的に元の形状に復元する。
【図面の簡単な説明】
【００１３】
【図１】図１は、本考案の一実施形態に係るグリーンフォークが示された斜視図である。
【図２】図２（ａ）は、図１のグリーンフォークのカバーが示された平面図であり、図２（ｂ）は、図２（ａ）のカバーが示された正面図である。
【図３】図３（ａ）は、図１のグリーンフォークのフォークが示された平面図であり、図３（ｂ）は、図３（ａ）のフォークが示された正面図である。
【図４】図４は、図１のグリーンフォークの使用状態が示された斜視図である。
【図５】図５（ａ）は、本考案の他の実施形態に係るグリーンフォークのカバーが示された平面図であり、図５（ｂ）は、図５（ａ）のカバーが示された正面図である。
【図６】図６（ａ）は、本考案のさらに他の実施形態に係るグリーンフォークのカバーが示された平面図であり、図６（ｂ）は、図６（ａ）のカバーが示された正面図である。
【考案を実施するための形態】
【００１４】
以下、適宜図面が参照されつつ、好ましい実施形態に基づいて本考案が詳細に説明される。この実施形態に基づいて本考案が限定的に解釈されるべきではない。
【００１５】
図２（ａ）及び図３において、紙面上、左右が長さ方向であり、上下が幅方向であり、紙面と垂直方向が厚み（高さ）方向である。図２（ａ）及び図３において、紙面上、左側が先端側であり、右側が手元側である。
【００１６】
このグリーンフォーク２は、カバー４と、フォーク６と、固定具８とを備えている。フォーク６は、カバー４に内蔵されている。固定具８は、フォーク６とカバー４とを貫通している。
【００１７】
このカバー４は、第一シート１０と、第二シート１２と、第一接合部材１４と、２つの第二接合部材１６とを備えている。第一シート１０と第二シート１２とは、同形であり、相互に平行に配置されている。第一接合部材１４は、略Ｕ字状である。第一接合部材１４は、グリーンフォーク２の手元側に位置している。第一接合部材１４は、第一シート１０の手元側の部分と一体に成形されており、かつ第二シート１２の手元側の部分とも一体に成形されている。第一接合部材１４により、第一シート１０の手元側の部分と第二シート１２の手元側の部分とが、接合されている。
【００１８】
それぞれの第二接合部材１６は、グリーンフォーク２の先端側であって、かつ幅方向外側に位置している。第二接合部材１６は、第一シート１０の先端側であってかつ幅方向外側の部分と一体に成形されており、かつ第二シート１２の先端側であってかつ幅方向外側の部分と一体に成形されている。２つの第二接合部材１６により、第一シート１０の先端側であってかつ幅方向外側の部分と第二シート１２の先端側であってかつ幅方向外側の部分とが接合されている。
【００１９】
第一シート１０の手元側で、かつ幅方向略中央部に、連結用孔２０が形成されている。連結用孔２０は第一シート１０を貫通している。第二シート１２の手元側でかつ幅方向略中央部に、連結用孔２０が形成されている。連結用孔２０は、第二シート１２を貫通している。
【００２０】
フォーク６は、略平行に配置された複数の爪２２と、グリップ２４とを備えている。グリップ２４には、一つの連結用孔２６と、複数の窓２８が形成されている。連結用孔２６は、グリップ２４を貫通している。それぞれの窓２８は、グリップ２４を貫通している。窓２８の形状や、場所は、適宜変更され得る。グリップ２４に窓２８が形成されなくてもよい。典型的には、フォーク６は、金属又は硬質な合成樹脂から形成される。
【００２１】
フォーク６は、第一シート１０と、第二シート１２と、第一接合部材１４と、２つの第二接合部材１６とにより形成される空間に収納される。この空間は、フォーク６よりも大きい。第一接合部材１４と、２つの第二接合部材１６とは、フォーク６が収納可能な空間が形成されるように、配置される。
【００２２】
図１に示されるように、第一シート１０と、第二シート１２と、２つの第二接合部材１６とにより開口部３０が形成されている。図２（ａ）において、矢印Ｗで示されているのは、開口部３０の幅である。図３（ａ）において、矢印Ｗｆで示されているのは、フォーク６の幅である。開口部３０の幅Ｗは、フォーク６の幅Ｗｆよりも大きい。
【００２３】
第一シート１０の連結用孔２０と、第二シート１２の連結用孔２０と、フォーク６の連結用孔２６とを、固定具８が貫通することによって、カバー４とフォーク６とが連結される。フォーク６とカバー４とが接着剤等により固定されてもよい。
【００２４】
カバー４は、弾性変形可能である。弾性変形可能なカバー４は、力を加えられると容易に変形する。このカバー４では、加えられた力が除去されると、元の形状が復元される。
【００２５】
図４は、本実施形態に係るグリーンフォーク２の使用状態が示された斜視図である。このグリーンフォーク２が使用されるとき、前述の開口部３０が地面に押しつけられる。地面により押されたカバー４は、屈曲する。カバー４の屈曲により、開口部３０からフォーク６の爪２２が露出する。露出した爪２２によってボール痕が修復される。修復作業終了後、グリーンフォーク２が地面から抜き取られると、カバー４の形状は使用前の状態に戻る。爪２２は自動的にカバー４に収納される。このグリーンフォーク２による作業では、カバー４を手で着脱する工程は不要である。この作業は、片手で容易に行いうる。
【００２６】
図２（ａ）において、矢印Ｌｃとして示されているのは、カバー４の長さである。図３（ａ）において、矢印Ｌｆとして示されているのは、フォーク６の長さである。カバー４の長さＬｃは、フォーク６の長さＬｆよりも大きい。好ましくは、カバー４の長さとフォーク６の長さとの差（Ｌｃ−Ｌｆ）は、３ｍｍ以内である。図２（ａ）において、矢印Ｗｃとして示されているのは、カバー４の幅である。図３（ａ）において、矢印Ｗｆとして示されているのは、フォーク６の幅である。カバー４の幅Ｗｃは、フォーク６の幅Ｗｆよりも大きい。好ましくは、カバー４の幅とフォーク６の幅との差（Ｗｃ−Ｗｆ）は、５ｍｍ以内である。このカバー４を備えたグリーンフォーク２は、コンパクトである。
【００２７】
カバー４の形状は、フォーク６を被覆可能であれば特に限定されない。カバー４を構成する第一シート１０の形状と、第二シート１２の形状とが異なってもよい。カバー４の外表面には、印刷、塗装等による修飾が施され得る。
【００２８】
第一シート１０の好ましい厚みＴ１は、０．５ｍｍ以上３．０ｍｍ以下である。厚みＴ１が０．５ｍｍ以上のシートを用いたカバー４は、形状の復元が容易である。この観点から、厚みＴ１は、０．８ｍｍ以上がより好ましい。厚みＴ１が３．０ｍｍ以下のシートを用いたカバー４は、地面に押しつけられたときの変形が容易である。このカバー４は、軽量である。この観点から厚みＴ１は、２．０ｍｍ以下がより好ましい。第二シート１２の厚みＴ２は、第一シート１０の厚みＴ１と同等である。
【００２９】
第一接合部材１４の長さは、図２（ａ）において、矢印Ｌ１で示されている。第二接合部材１６の長さは、図２（ａ）において、矢印Ｌ２で示されている。本実施形態において、接合部材の長さＬは、長さＬ１と長さＬ２の平均値（（Ｌ１＋Ｌ２）／２）を意味する。好ましい長さＬは、カバー４の長さＬｃの１／２以下である。この接合部材が用いられたカバー４では、弾性変形が阻害されない。このカバー４の変形は、容易である。この観点から、長さＬは、長さＬｃの１／３以下がより好ましい。好ましくは、長さＬは、長さＬｃの１／１０以上である。この接合部材が用いられたカバー４では、フォーク６が十分に被覆される。このグリーンフォーク２では、携帯時の衣類等の破損が回避され得る。
【００３０】
第一接合部材１４の長さＬ１は、フォーク６の形状によって、適宜変更され得る。カバー４の変形容易さという観点から、長さＬ１は、長さＬｃの１／２以下が好ましく、１／３以下がより好ましい。カバー４とフォーク６との固定し易さ、及びカバーの形状復元の容易さという観点から、長さＬ１は、長さＬｃの１／５以上が好ましい。
【００３１】
第二接合部材１６の長さＬ２は、フォーク６の形状によって、適宜変更され得る。カバー４の変形容易との観点から、長さＬ２は、長さＬｃの１／４以下が好ましく、１／５以下がより好ましい。フォーク６の先端保護の観点から、長さＬ２は、長さＬｃの１／２０以上が好ましい。
【００３２】
図２（ｂ）において、矢印Ｈで示されているのは、第一シート１０と第二シート１２との間隔である。本実施形態において、第一シート１０と第二シート１２との間隔Ｈは、開口部３０の高さに等しい。図３（ｂ）において、矢印Ｄで示されているのは、フォーク６の厚みである。フォーク６の収納が容易であるとの観点から、第一シート１０と第二シート１２との間隔Ｈは、フォーク６の厚みＤの１．１倍以上が好ましく、１．２倍以上がより好ましい。
【００３３】
第一シート１０と第二シート１２との間隔Ｈが適切なカバー４を備えたグリーンフォーク２では、ボール痕修復作業によりフォーク６に付着した大きな土や草等は、フォーク６がカバー４に収納される時に除去され得る。修復作業終了後、このグリーンフォーク２への土等の付着量は少ない。除去されずにフォーク６に付着した土等は、カバー４により被覆される。このグリーンフォーク２によるポケットやバッグの汚損は少ない。この観点から、第一シート１０と第二シート１２との間隔Ｈは、フォーク６の厚みＤの１．５倍以下が好ましく、１．４倍以下がより好ましい。
【００３４】
カバー４の材質は、弾性変形可能な素材であれば特に限定されない。弾性に優れた樹脂組成物として、熱可塑性エラストマー及び熱硬化性エラストマーが挙げられる。熱可塑性エラストマーとして、熱可塑性ポリエステルエラストマー、スチレンブロック含有熱可塑性樹脂エラストマー、熱可塑性ポリオレフィンエラストマー、熱可塑性アクリルエラストマー及び熱可塑性塩化ビニルエラストマーが例示される。熱硬化性エラストマーの具体例として、シリコーン樹脂、フッ素樹脂及び加硫ゴムが例示される。ポリ塩化ビニル、ポリエチレン等の軟質樹脂が使用されてもよい。シリコーン樹脂及び軟質樹脂が好ましい。必要に応じて、複数の樹脂組成物が併用され得る。カバー４を構成する第一シート１０、第二シート１２及び複数の接合部材が、それぞれ異なる材質によって形成されてもよい。
【００３５】
カバー４には、着色剤、充填剤、分散剤、酸化防止剤、光安定剤、蛍光剤、蛍光増白剤等が適量配合され得る。
【００３６】
カバー４の成形には、射出成形法、圧縮成形法、注型成形法等の既知の方法が採用され得る。別個に成形された複数の部材が接合されることで、カバー４が得られても良い。
【００３７】
本実施形態では、フォーク６は複数の窓２８を備えている。このフォーク６は軽量である。この窓２８は、フォーク６とカバー４との摩擦の低減に寄与する。このフォーク６を備えたグリーンフォーク２では、摩擦によってカバー４の弾性変形が阻害されない。窓２８は、フォーク６を直接手指で把持するときの滑り止めとしても機能する。
【００３８】
固定具８には、カバー４とフォーク６とを連結して保持する強度と大きさが求められる。この条件が満足される限り、固定具８の材質や形状は特に制限されない。繊維製の紐状体や帯状体、金属製のリングやチェーン、ナスカン等が例示される。硬質な合成樹脂製の固定具８が用いられてもよい。この固定具８には、フック等の連結具がさらに取り付けられ得る。
【００３９】
図５（ａ）は、本考案の他の実施形態に係るグリーンフォークのカバー３１が示された平面図である。図５（ｂ）は、図５（ａ）のカバー３１が示された正面図である。この実施形態におけるカバー３１は、第一シート３４と、第二シート３６と、２つの接合部材３２とを備えている。第一シート３４と、第二シート３６には、それぞれ連結用孔３８が形成されている。第一シート３４と第二シート３６とは、相互に平行に配置されている。それぞれの接合部材３２は、第一シート３４の先端側であってかつ幅方向外側の部分と一体に成形されており、かつ第二シート３６の先端側であってかつ幅方向外側の部分と一体に成形されている。２つの接合部材３２により、第一シート３４の先端側であってかつ幅方向外側の部分と第二シート３６の先端側であってかつ幅方向外側の部分とが接合されている。このカバー３１では、手元側において、第一シート３４は第二シート３６と接合されていない。このカバー３１を備えたグリーンフォークでは、このカバー３１と、カバー３１に収納されたフォークとを連結するための固定具によって、手元側が固定される。
【００４０】
図６（ａ）は、本考案のさらに他の実施形態に係るグリーンフォークのカバー４０が示された平面図である。図６（ｂ）は、図６（ａ）のカバー４０が示された正面図である。この実施形態におけるカバー４０は、第一シート４４と、第二シート４６と、４つの接合部材４２とを備えている。第一シート４４と、第二シート４６には、それぞれ連結用孔４８が形成されている。第一シート４４と第二シート４６とは、相互に平行に配置されている。２つの接合部材４２は、第一シート４４の先端側であってかつ幅方向外側の部分と一体に成形されており、かつ第二シート４６の先端側であってかつ幅方向外側の部分と一体に成形されている。他の２つの接合部材４２は、第一シート４４の手元側であってかつ幅方向外側の部分と一体に成形されており、かつ第二シート４６の手元側であってかつ幅方向外側の部分と一体に成形されている。２つの接合部材４２により、第一シート４４の先端側であってかつ幅方向外側の部分と第二シート４６の先端側であってかつ幅方向外側の部分とが接合されている。他の２つの接合部材４２により、第一シート４４の手元側であってかつ幅方向外側の部分と第二シート４６の手元側であってかつ幅方向外側の部分とが接合されている。この実施形態のカバー４０では、フォークの形状にあわせて、それぞれの接合部材４２の大きさや配置を適宜変更することができる。
【産業上の利用可能性】
【００４１】
本考案に係るグリーンフォークは、装飾品や販促品としても用いられ得る。
【符号の説明】
【００４２】
２  ・・・グリーンフォーク
４  ・・・カバー
６  ・・・フォーク
８  ・・・固定具
１０・・・第一シート
１２・・・第二シート
１４・・・第一接合部材
１６・・・第二接合部材
２０・・・連結用孔
２２・・・爪
２４・・・グリップ
２６・・・連結用孔
２８・・・窓
３０・・・開口部
３１・・・カバー
３２・・・接合部材
３４・・・第一シート
３６・・・第二シート
３８・・・連結用孔
４０・・・カバー
４２・・・接合部材
４４・・・第一シート
４６・・・第二シート
４８・・・連結用孔
【図１】
0003179291.tif 000003
【図２】
0003179291.tif 000004
【図３】
0003179291.tif 000005
【図４】
0003179291.tif 000006
【図５】
0003179291.tif 000007
【図６】
0003179291.tif 000008